(57)【特許請求の範囲】
【請求項１】
少なくとも１枚の表示体と、前記表示体を支持する支持部材とからなる卓上カレンダーであって、
前記支持部材は、前面、底面、及び背面が折り部を介して連接されて構成され、かつ、
前記前面と前記背面との両側端を接続する一対の側面を有し、前記一対の側面の少なくとも一方には左右方向に伸びる線状の切り込みを有していることを特徴とする卓上カレンダー。
【請求項２】
請求項１に記載の卓上カレンダーであって、
前記前面の下方には、前記表示体の下辺を支持する表示体下方支持部を少なくとも１つ有していることを特徴とする卓上カレンダー。
【請求項３】
請求項２に記載の卓上カレンダーであって、
前記表示体下方支持部は側端よりも内側に形成されていることを特徴とする卓上カレンダー。
【請求項４】
請求項２若しくは３に記載の卓上カレンダーであって、
前記前面の上方には、前記表示体の上辺を支持する表示体上方支持部を少なくとも１つ有していることを特徴とする卓上カレンダー。
【請求項５】
請求項４に記載の卓上カレンダーであって、
前記表示体上方支持部は側端よりも内側に形成されていることを特徴とする卓上カレンダー。
【請求項６】
請求項１〜５のいずれか１に記載の卓上カレンダーであって、
前記前面の左方及び右方には、前記表示体の左辺及び右辺を支持する表示体側辺支持部を少なくとも１つ有していることを特徴とする卓上カレンダー。
【請求項７】
請求項１〜６のいずれか１に記載の卓上カレンダーであって、
前記一対の側面の左右略中央には折り曲げ線が形成されていることを特徴とする卓上カレンダー。
【請求項８】
請求項１〜７のいずれか１に記載の卓上カレンダーであって、
前記一対の側面の左右略中央には、折り曲げ線が形成されていて、
前記折り曲げ線は前記切り込みより上方では谷折り折り曲げ線、前記切り込みより下方では山折り折り曲げ線であることを特徴とする卓上カレンダー。
【請求項９】
請求項１〜８のいずれか１に記載の卓上カレンダーであって、
前記支持部材は１枚のシートからなることを特徴とする卓上カレンダー。
【発明の詳細な説明】
【技術分野】
【０００１】
本発明は、カレンダーが表記されている１枚以上の表示体と前記表示体を支持する支持部材からなる卓上カレンダーに関する。
【背景技術】
【０００２】
従来、壁に打ち込んだ釘等に吊るす大型の壁掛けカレンダーの他に、机や棚の上に載置して手軽に月日を確認することが可能な小型の卓上カレンダーが広く使用されている。このような卓上カレンダーにおいては、小型でも使用者が見易いものにするため、１年単位ではなく１ヶ月単位若しくは数週間単位が表示された複数枚の紙製表示体を有する場合が多くある。
【０００３】
このような卓上カレンダーにおいては、数週間毎若しくは１ヶ月毎に表示体を入れ替える必要が生じる。そこで、表示体の入れ替えを容易にするために、表示体に形成した穴に針金リングを通して複数枚の表示体を一まとめにした構成が広く使用されてきた。
【０００４】
しかし、このような針金リングを使用した卓上カレンダーは、年が変わって古い卓上カレンダーを廃棄処分する際に、表示体から針金リングを外して分別廃棄する必要があるため、廃棄時に手間がかかるという問題があった。
【０００５】
そこで、表示体を支持する支持部材も含めて全てを紙製とすることにより不要となった卓上カレンダーの廃棄処分を簡単に行えるようにする卓上カレンダーが提案されてきた（特許文献１）。
【０００６】
特許文献１のような紙製卓上カレンダーにおいては、廃棄処分を容易にするだけでなく、構造を簡素化して製造コストを低く抑えることも考慮されているものが多い。そのため、表示体を支持する支持部材は、前面と背面を有し、前記前面と前記背面とが倒れないように保形するための底部材があるだけの簡素なものが多かった。
このような簡素な構造の卓上カレンダーは、支持部材の前面が表示体の重みで撓んでしまうことにより、表示体を支持しづらくなったり、表示体が支持部材から外れてしまったりする可能性があった。
【０００７】
公知文献を以下に示す。
【先行技術文献】
【特許文献】
【０００８】
【特許文献１】特開２００１−２６０５６６号公報
【発明の概要】
【発明が解決しようとする課題】
【０００９】
本発明は上記のような事情に鑑みてなされたもので、廃棄処分が容易な簡素な構造でありながら、安定して表示体を支持することが可能な支持部材を有する卓上カレンダーを提供することを課題とする。
【課題を解決するための手段】
【００１０】
本発明は係る課題に鑑みなされたものであり、本発明の卓上カレンダーは、少なくとも１枚の表示体と、前記表示体を支持する支持部材とからなる卓上カレンダーであって、前記支持部材は、前面、底面、及び背面が折り部を介して連接されて構成され、かつ、前記
前面と前記背面との両側端を接続する一対の側面を有していることを特徴とする。
【００１１】
また、本発明の卓上カレンダーの前記前面の下方には、前記表示体の下辺を支持する表示体下方支持部を少なくとも１つ有していても良く、このとき、前記表示体下方支持部は側端よりも内側に形成されていても良い。
【００１２】
また、前記表示体下方支持部を有する本発明の卓上カレンダーの前記前面の上方には、前記表示体の上辺を支持する表示体上方支持部を少なくとも１つ有していても良く、このとき、前記表示体上方支持部は側端よりも内側に形成されていても良い。
【００１３】
また、前記表示体下方支持部を有する本発明の卓上カレンダーの前記前面の左方及び右方には、前記表示体の左辺及び右辺を支持する表示体側辺支持部を少なくとも１つ有していても良い。
【００１４】
また、本発明の卓上カレンダーの前記一対の側面の左右略中央には折り曲げ線が形成されていても良い。
【００１５】
また、本発明の卓上カレンダーの前記一対の側面の少なくとも一方には左右方向に伸びる線状の切り込みを有していても良い。
このとき、前記一対の側面の左右略中央には、折り曲げ線が形成されていて、前記折り曲げ線は前記切り込みより上方では谷折り折り曲げ線、前記切り込みより下方では山折り折り曲げ線であっても良い。
【００１６】
また、本発明の卓上カレンダーの支持部材は１枚のシートからなるものであっても良い。
【発明の効果】
【００１７】
本発明の卓上カレンダーは、表示体を支持する支持部材が、前面と背面との両側端を接続する一対の側面を有していることにより、廃棄処分が容易な紙製で簡素な構造であっても、前記前面が前記表示体の重みで撓むことなく安定して表示体を支持することが可能となる。
【００１８】
また、本発明の卓上カレンダーの前記前面の下方には、前記表示体の下辺を支持する表示体下方支持部を少なくとも１つ有していることにより、前記表示体が落下する虞がない。また、前記表示体を支持部材の底面よりも上方の位置で固定できることにより、卓上カレンダーを載置している机の汚れ等が付着する虞もないため、卓上カレンダーの載置場所に関わらず月日を容易に確認できる状態を保つことができる。
なお、前記表示体下方支持部を側端よりも内側に形成することにより、前記表示体の横幅が支持部材の横幅よりも小さい場合であっても前記表示体を水平に支持することが可能となる。さらに、側端に形成すると輸送時などに前記表示体下方支持部が周囲のものに引っ掛かって広がってしまい、前記表示体を支える効果が低減してしまう虞があるが、前記表示体下方支持部を側端よりも内側に形成することによりこの虞をなくすことも可能となる。
【００１９】
また、前記表示体下方支持部を有する本発明の卓上カレンダーにおいて、前記前面の上方にも前記表示体の上辺を支持する表示体上方支持部を少なくとも１つ有することにより、前記表示体下方支持部で支持された前記表示体が前方に倒れる虞がない。
なお、前記表示体上方支持部を側端よりも内側に形成することにより、前記表示体の左右片側だけが前方に傾斜する虞がなく、前記表示体を前記支持部材の前記前面と略平行に保つことが可能となる。これにより、使用者がいつでも月日をより容易に確認することがで
きるようになる。さらに、側端に形成すると輸送時などに前記表示体上方支持部が周囲のものに引っ掛かって広がってしまい、前記表示体の前方への倒れを防止する効果が低減してしまう虞があるが、前記表示体上方支持部を側端よりも内側に形成することによりこの虞をなくすことも可能となる。
【００２０】
また、本発明の卓上カレンダーにおいて、前記前面の左方及び右方にも前記表示体の左辺及び右辺を支持する表示体側辺支持部を少なくとも１つ有することにより、前記表示体を側辺で挟み込んで固定することが可能となる。また、前記表示体下方支持部と組み合わせて前記表示体側辺支持部を形成した場合には、前記表示体下方支持部で支持された前記表示体が前方に倒れることを防止することも可能となる。
【００２１】
また、本発明の卓上カレンダーの前記一対の側面の左右略中央には折り曲げ線が形成されていることにより、前記一対の側面が前記前面と前記背面に接続された状態のまま前記支持部材を折り畳むことが可能となる。これにより、前記一対の側面を前記前面と前記背面に接続した状態で輸送する場合にも、平面に近い形での持ち運びが可能となることにより輸送コストを抑えることができ、さらに、使用者側での組み立ても前記側面の組み立てを省略することができるため、より簡易となる。
また、前記一対の側面に広告等を表示した場合には、前記折り曲げ線を外方に突き出すようにすることにより、卓上カレンダーを左右方向から見た場合だけでなく、前方から見た場合にも使用者が前記側面に表示された広告に気づくことが可能となる。
【００２２】
また、本発明の卓上カレンダーの前記一対の側面の少なくとも一方には左右方向に伸びる線状の切り込みを有していることにより、例えば筆記用具等カレンダーの近くにあると便利なものを、前記切り込みを開いて差し込むことが可能となる。
またこのとき、前記一対の側面の左右略中央には、折り曲げ線が形成されていて、前記折り曲げ線は前記切り込みより上方では谷折り折り曲げ線、前記切り込みより下方では山折り折り曲げ線とすることにより、前記切り込みが大きく開く構造となるため、筆記用具などを容易に差し込めるようになる。
【００２３】
また、本発明の卓上カレンダーの支持部材を１枚のシートから構成することにより、これまで述べた効果を有する卓上カレンダーを安価に製造することが可能となる。
【図面の簡単な説明】
【００２４】
【図１】本発明の卓上カレンダーの第１の実施形態の支持部材の展開図を模式的に示した説明図である。
【図２】本発明の卓上カレンダーの第１の実施形態の支持部材を組み立てた状態を模式的に示した説明図であり、（ａ）は支持部材のみ、（ｂ）は支持部材に表示体をセットした状態を示す。
【図３】本発明の卓上カレンダーの第１の実施形態の支持部材の変形例を模式的に示した説明図である。（ａ）は表示体下方支持部及び表示体上方支持部を別部材とした変形例、（ｂ）は表示体上方支持部の代わりに表示体側辺支持部を有する変形例である。
【図４】本発明の卓上カレンダーの第２の実施形態の支持部材の展開図を模式的に示した説明図である。
【図５】本発明の卓上カレンダーの第２の実施形態の支持部材を組み立てた状態を模式的に示した説明図であり、（ａ）は支持部材のみ、（ｂ）は支持部材に表示体をセットして切り込みに棒状筆記用具を差した状態を示す。
【発明を実施するための形態】
【００２５】
＜第１の実施形態＞
以下、本発明を実施するための第１の実施形態につき図１〜３を参照して説明する。
【００２６】
第１の実施形態の卓上カレンダーの支持部材１の材質は、白ボール紙等の板紙や厚紙からなる。そのおもて面や裏面に樹脂層などが設けられていても良く、紙以外の剛性のある材料で造られていても良い。そして、図１の展開図のようなシートを一点鎖線で示す折罫で折って、必要に応じてホットメルトなどの接着剤で接着し組み立てることができる。
【００２７】
支持部材１は、前面２、底面３、及び背面４が折り部を介して連接されて構成され、かつ、前面２と背面４との両側端を接続する一対の側面５を有している。
支持部材１を組み立てる際には、底面差込片３２を底面係止部３１に差し込むことにより縦断面形状が三角形の立体形状とする。そして、側面５の先端に設けられた側面差込片５０を背面４に切り込みで設けられた側面係止部５１に差し込むことにより、側面５が前面２と背面４との両側端を接続する構成となる。
【００２８】
なお、前面２の上下には表示体１１で隠れない位置を上方表示部７０及び下方表示部６０として、側面５だけでなく上方表示部７０及び下方表示部６０にも広告表示等を表示させるようにしても良い。
【００２９】
前面２の下方には、図２に示すように表示体１１の下辺を支持する表示体下方支持部６を左右２箇所に設けている。表示体下方支持部６は表示体１１が落ちないように支えられれば良く、その数、形状、大きさ及び形成方法は本実施形態の例に限定されない。
【００３０】
図１、２では表示体下方支持部６は切り込みにより形成されているが、例えば図３（ａ）に示すように別部材を前面２の所定箇所に貼り付けて形成しても良い。
また、本実施形態では表示体下方支持部６を２つ設けているが、表示体１１の下辺の半分以上の長さを支えるような長い表示体下方支持部６を１つ左右略中央に設けるのでも良いし、３つ以上設けるのでも良い。なお、表示体下方支持部６の好ましい形成例は図に示したように左右に２つ設ける構成である。これは、左右対称に設けられた表示体下方支持部６で支えることにより、少ない数の表示体下方支持部６であっても表示体１１が左右に傾くことなく使用者が見やすい状態を維持することを容易に成し得るからである。
また、表示体下方支持部６の形状は、１つ以上の表示体下方支持部６全体で表示体１１を支えられるだけの上下幅及び左右幅を有していれば良く、本実施形態では四角形としているが、角に曲線を有する角丸四角形としても良いし、円弧状や波形等自由な形状を採用することが可能である。複数の表示体下方支持部６を有する場合、全てを同じ形状とする必要もなく、それぞれの表示体下方支持部６を自由にデザインすることができる。
【００３１】
表示体下方支持部６を切り込みにより形成する場合、その形成位置は、下方表示部６０の上端を下端として上方に突出する位置とする。このような位置に表示体下方支持部６を形成することにより、切り込み線が下方表示部６０の表示に重なって表示内容を見えにくくする虞がない。また、下方表示部６０の上方に折り部を設けて下方段差部６１を形成した場合であっても、表示体下方支持部６は下方表示部６０と同一面でつながる構成となるため、下方段差部６１の形成によって表示体下方支持部６の強度が弱まることなく、さらに、下方表示部６０から表示体下方支持部６までつながりのある表示を行うことも可能となる。
【００３２】
また、表示体下方支持部６の高さは、切り込みにより形成する場合も別部材を貼り付けて形成する場合も特に限定されないが、下方段差部６１の奥行きと同一にするか、下方段差部６１の奥行きよりも長くすることが好ましい。
表示体下方支持部６の高さを下方段差部６１の奥行きと同一にすると、特に表示体下方支持部６を切り込みにより形成した場合、切り込み位置と折り位置の関係が複雑にならないので、支持部材１の製造効率を向上させることが可能となる。
一方、表示体下方支持部６の高さを下方段差部６１の奥行きよりも長くした場合には、表示体１１が落ちないように支える面積を大きくすることができるため、より安定して表示体１１を支えることが可能となる。
【００３３】
なお、表示体下方支持部６は、図１〜３に示すように側端よりも内側に形成されていることが好ましい。これにより、表示体１１の横幅が支持部材１の横幅よりも小さい場合であっても表示体１１を水平に支持することが可能となるという効果を奏する。また、側端に形成すると輸送時などに表示体下方支持部６が周囲のものに引っ掛かって広がってしまい、表示体１１を支える効果が低減してしまう虞があるため、この虞を除外するためにも表示体下方支持部６は側端よりも内側に形成されていることが好ましい。
【００３４】
表示体１１を支える方法は、表示体１１の枚数が少ない若しくは厚さが薄い場合には、前面２と表示体下方支持部６との間に挟みこむようにして表示体１１を支持することが可能である。また、表示体１１の枚数が多い若しくは厚さが厚く、前面２と表示体下方支持部６の間に挟みこむことが難しい場合には、図１〜３（ａ）のように折り部を設けて下方段差部６１を形成することにより、下方段差部６１上に表示体１１を載置し、表示体下方支持部６で表示体１１が前方に落ちないように支えることも可能である。
【００３５】
前面２の上方には、表示体１１の上辺を支持する表示体上方支持部７を形成する。表示体上方支持部７は表示体１１が前方に倒れないように支えられれば良く、その数、形状、大きさ及び形成方法は本実施形態の例に限定されない。
【００３６】
図１、２では表示体上方支持部７は切り込みにより形成されているが、例えば図３（ａ）に示すように別部材を前面２の所定箇所に貼り付けて形成しても良い。
また、本実施形態では表示体上方支持部７を向かって左側に１つ設けているが、左右略中央に１つ設けるのでも良いし、２つ以上設けるのでも良い。
また、表示体上方支持部７の形状は、１つ以上の表示体上方支持部７全体で表示体１１の前方への倒れを阻止できるだけの上下幅及び左右幅を有していれば良く、本実施形態では四角形としているが、角に曲線を有する角丸四角形としても良いし、円弧状や波形等自由な形状を採用することが可能である。複数の表示体上方支持部７を有する場合、全てを同じ形状とする必要もなく、それぞれの表示体上方支持部７を自由にデザインすることができる。
【００３７】
表示体上方支持部７を切り込みにより形成する場合、その形成位置は、上方表示部７０の下端を上端として下方に突出する位置とする。このような位置に表示体上方支持部７を形成することにより、切り込み線が上方表示部７０の表示に重なって表示内容を見えにくくする虞がない。また、上方表示部７０の下方に折り部を設けて上方段差部７１を形成した場合であっても、表示体上方支持部７は上方表示部７０と同一面でつながる構成となるため、上方段差部７１の形成によって表示体上方支持部７の強度が弱まることなく、さらに、上方表示部７０から表示体上方支持部７までつながりのある表示を行うことも可能となる。
【００３８】
また、表示体上方支持部７の高さは、切り込みにより形成する場合も別部材を貼り付けて形成する場合も特に限定されないが、上方段差部７１の奥行きと同一にするか、上方段差部７１の奥行きよりも長くすることが好ましい。
表示体上方支持部７の高さを上方段差部７１の奥行きと同一にすると、特に表示体上方支持部７を切り込みにより形成した場合、切り込み位置と折り位置の関係が複雑にならないので、支持部材１の製造効率を向上させることが可能となる。
一方、表示体上方支持部７の高さを上方段差部７１の奥行きよりも長くした場合には、表示体１１が倒れないように支える面積を大きくすることができるため、より安定して表示
体１１を支えることが可能となる。
【００３９】
なお、表示体上方支持部７は、図１〜３に示すように側端よりも内側に形成されていることが好ましい。これにより、表示体１１の左右片側だけが前方に傾斜する虞がなく、表示体１１を支持部材１の前面２と略平行に保つことが可能となるという効果を奏する。また、側端に形成すると輸送時などに表示体上方支持部７が周囲のものに引っ掛かって広がってしまい、表示体１１の前方への倒れを防止する効果が低減してしまう虞があるため、この虞を除外するためにも表示体上方支持部６は側端よりも内側に形成されていることが好ましい。
【００４０】
表示体１１の前方への倒れを阻止する方法は、表示体１１の枚数が少ない若しくは厚さが薄い場合には、前面２と表示体上方支持部７との間に挟みこむようにして表示体１１を支持することが可能である。また、表示体１１の枚数が多い若しくは厚さが厚く、前面２と表示体上方支持部７の間に挟みこむことが難しい場合には、図１〜３（ａ）のように折り部を設けて上方段差部７１を形成することにより、上方段差部７１の下方に表示体１１を配置し、表示体上方支持部７で表示体１１が前方に倒れないように支えることも可能である。
【００４１】
また、図３（ｂ）に示すように、前面２に表示体１１の左辺及び右辺を支持する表示体側辺支持部８を設けても良い。なお、表示体側辺支持部８のみで表示体１１をしっかりと挟み込んで固定できるようにして表示体下方支持部６を設けない構成とすることも可能であり、表示体側辺支持部８を設けた場合にも表示体上方支持部７をさらに設けても良いが、表示体１１を支持部材１の上方から差し込むことを考慮すれば、図３（ｂ）のように表示体下方支持部６と表示体側辺支持部８の組み合わせとすることが好ましい。
表示体側辺支持部８は表示体下方支持部６と組み合わせて形成する場合には表示体１１が前方に倒れないように支えられれば良く、その数、形状、大きさ及び形成方法は本実施形態の例に限定されない。
【００４２】
図３（ｂ）では表示体側辺支持部８は切り込みにより形成されているが、別部材を前面２の所定箇所に貼り付けて形成しても良い。また、表示体側辺支持部８に縦方向の折り部を設けて段差を形成することにより、表示体１１の枚数が多い若しくは厚さが厚く、前面２と表示体側辺支持部８の間に挟みこむことが難しい場合にも、当該段差の間に表示体１１を配置して支えることが可能となる。
また、本実施形態では表示体側辺支持部８を左右に１つずつ設けているが、左右それぞれに２つ以上設けるのでも良く、左右で別々の個数としても良い。
また、表示体側辺支持部８の形状は、左右の表示体側辺支持部８全体で表示体１１の前方への倒れを阻止できるだけの上下幅及び左右幅を有していれば良く、本実施形態では角に曲線を有する角丸四角形としているが、四角形としても良いし、円弧状や波形等自由な形状を採用することが可能である。複数の表示体側辺支持部８を有する場合、全てを同じ形状とする必要もなく、それぞれの表示体側辺支持部８を自由にデザインすることができる。
【００４３】
側面５の左右略中央には折り曲げ線５２が形成されている。この構成により、側面５が前面２と背面４に接続された状態のまま支持部材１を折り畳むことが可能となる。これにより、側面５を前面２と背面４に接続した状態で輸送する場合にも、平面に近い形での持ち運びが可能となることにより輸送コストを抑えることができ、さらに、使用者側での組み立ても側面５の組み立てを省略することができるため、より簡易となる。
また、側面５に広告等を表示した場合には、折り曲げ線５２を外方に突き出すようにすることにより、卓上カレンダーを左右方向から見た場合だけでなく、前方から見た場合にも使用者が側面５に表示された広告に気づくことが可能となる。
【００４４】
なお、本実施形態の支持部材１は、縦断面形状が三角形となっているが、前面２と背面４の間に天面が連接されて縦断面形状が四角形となっていても良い。
【００４５】
本実施形態の支持部材１によれば、廃棄処分が容易な簡素な構造でありながら、安定して表示体１１を支持することが可能な支持部材１を有する卓上カレンダーを提供することが可能となる。
【００４６】
＜第２の実施形態＞
以下、本発明を実施するための第２の実施形態につき図４、５を参照して説明する。
【００４７】
第２の実施形態の支持部材１０は、側面５に左右方向に伸びる線状の切り込み５５を有している以外は第１の実施形態の支持部材１と同様である。
【００４８】
側面５に設けられる切り込み５５の位置は特に限定されないが、支持部材１０を組み立てて図５（ｂ）に示すように切り込み５５を開いた所に鉛筆やボールペン等の棒状筆記具９を差し込んで使用することを考慮すれば、その位置は側面５の上下中央若しくは上下中央よりも高い位置に形成されることが好ましい。
また、切り込み５５の形状も特に限定されず、切り込み５５を開いて使用することを考慮して、あまり複雑な形で開きにくいものでなければ曲線でも直線と曲線を組み合わせたものでも良い。
【００４９】
側面５の左右略中央には折り曲げ線５３、５４が形成されている。折り曲げ線５３、５４は切り込み５５より上方では谷折り折り曲げ線５３、切り込みより下方では山折り折り曲げ線５４となっている。この構成を採用することにより、切り込みが大きく開く構造となるため、図５（ｂ）のように棒状筆記具９を差し込む場合にも差し込みや取り出しを容易に行うことが出来るようになる。
【００５０】
本実施形態の支持部材１０によれば、廃棄処分が容易な簡素な構造でありながら、安定して表示体１１０を支持することが可能な支持部材１０を有する卓上カレンダーを提供することが可能となる。また、棒状筆記具９を支持部材１０に差し込むことが可能となるため、使用者の利便性をさらに高めた卓上カレンダーを提供することも可能となる。
【符号の説明】
【００５１】
１、１０・・・支持部材
２・・・前面
３・・・底面
４・・・背面
５・・・側面
６・・・表示体下方支持部
７・・・表示体上方支持部
８・・・表示体側辺支持部
９・・・棒状筆記具
１１、１１０・・・表示体
【図１】
0006610167.tif 000002
【図２】
0006610167.tif 000003
【図３】
0006610167.tif 000004
【図４】
0006610167.tif 000005
【図５】
0006610167.tif 000006